(57)【特許請求の範囲】
【請求項１】
支持線が中心部に挿入されたスロットを圧延する一対のローラで構成される３組の圧延ローラ装置を直列に配設し、前記スロットをスロット走行方向において徐々に細径に潰すべく前記各圧延ローラ装置の一対のローラ間の距離をスロット走行方向で段階的に狭く構成してなり、
前記３組の圧延ローラ装置の各一対のローラがそれぞれ独立して回転駆動され、
前記各圧延ローラ装置が、本体フレームのベース部上に立設された前後の支持フレームと、この支持フレームに固定して設けられた各下軸受け部に回転軸を介して回転自在に設けられた下ローラと、前記支持フレームにガイド部を介して上下方向にスライド自在に設けた各上軸受け部に回転軸を介して設けられ、かつ下ローラに接離自在に設けられた上ローラと、前記各下軸受け部との間に設けられた圧縮スプリングにより常時上方へ付勢された各上軸受け部と、この各上軸受け部の下端に連結された前記支持フレームの上部に設けたナット部材に螺合する各ねじシャフトと、この各ねじシャフトに連結され、かつ、一方のねじシャフトの上部に取り付けられたハンドル部と、前記支持フレームの一部に設けられ、上ローラの上下方向の移動距離を測定すべく上軸受け部の上下方向の移動距離を測定する測長ユニットとで構成されていることを特徴とするスロット剥線装置。
【請求項２】
供給側と出口側の下ローラの外周面に凹凸部が形成されていることを特徴とする請求項１記載のスロット剥線装置。
【発明の詳細な説明】
【技術分野】
【０００１】
この発明は、スロット剥線装置に関し、特に光ファイバケーブルに使用されるスロットの樹脂をリサイクルするために、例えばスロットを構成するポリエチレン樹脂と鋼線を分離するスロット剥線装置に関する。
【背景技術】
【０００２】
図８を参照するに、従来、例えば、光ファイバケーブル２０１は、長手方向に延伸されたスロット２０３の断面で外周に複数のスロット溝２０５が螺旋状に形成されており、前記各スロット溝２０５に例えば４心の光ファイバテープ心線２０７が挿入されていると共に光ファイバテープ心線２０７がスロット溝２０５から離脱しないように、スロット２０３の外周部には押え巻き２０９が一体的に設けられている。前記スロット２０３の中心部には支持線（テンションメンバ）としての鋼線２１１が挿入されて使用されている。さらに、スロット２０３の外周にはケーブルシース２１３が覆うように設けられており、このケーブルシース２１３はＰＥ（ポリエチレン）又はＰＶＣ（ポリ塩化ビニル）等からなる。
【０００３】
上記の光ファイバケーブル２０１が使用済みになると、リサイクルのために、ケーブルシース２１３が周知の被覆剥ぎ装置で剥ぎ取られ、また押え巻き２０９も剥ぎ取られる。さらに、スロット２０３の複数の各スロット溝２０５から４心の光ファイバテープ心線２０７が除去される。次に、スロット２０３と鋼線２１１とをそれぞれリサイクルするためには、スロット２０３と鋼線２１１を分離する必要がある。
【０００４】
図９を参照するに、上記のスロット２０３と鋼線２１１を分離するスロット剥線方法としては、鋼線２１１が中心部に挿入されたスロット２０３を走行させ、例えば下ローラ２１５Ｌに刃２１７が付いた一対の上、下ローラ２１５Ｕ，２１５Ｌ間に通過させた後、次に、例えば上ローラ２１９Ｕに刃２２１が付いた一対の上、下ローラ２１９Ｕ，２１９Ｌ間に通過させ、さらに、一対の上、下ローラ２２３Ｕ，２２３Ｌ間に通してスロット２０３と鋼線２１１を分離する方法などがある。
【０００５】
また、上記のスロット２０３と鋼線２１１を分離する他のスロット剥線方法としては、図示していないが、鋼線２１１が中心部に挿入されたスロット２０３を走行させ、被覆切裂手段に送り込まれる。スロット２０３は前記被覆切裂手段によりスロット２０３の走行方向に回転自在な上カッタと下カッタとの間で挟み込むようにして通過せしめてスロット２０３の長手方向に切り込みが入れられる。
【０００６】
この切り込みが入れられたスロット２０３は、前記被覆切裂手段の前方に設けた被覆剥ぎダイスに送り込まれる。被覆剥ぎダイスには、鋼線２１１を通過させる貫通孔と鋼線２１１とスロット２０３の境界に食い込んでスロット２０３を鋼線２１１から剥ぐための剥ぎ取り突起を備えた被覆剥ぎダイスが備えられており、前記スロット２０３は、最初はその先端において端末処理でスロット２０３が剥ぎ取られて鋼線２１１が露出されているので、この露出した鋼線２１１が貫通孔に強制的に送り込まれることにより、剥ぎ取り突起が鋼線２１１とスロット２０３の境界に食い込んでスロット２０３が鋼線２１１から剥ぎ取られる（例えば、特許文献１参照）。
【特許文献１】特開平１０−３２２８３４号公報
【発明の開示】
【発明が解決しようとする課題】
【０００７】
ところで、上述した従来の前者のスロット剥線方法では、スロット２０３と鋼線２１１とを容易に分離させることが難しく、また、長時間稼働させると刃２１７，２２１が傷み、切れなくなると共に切れなくなると交換する必要があって大変面倒であった。さらに、スロット２０３の種類により刃２１７，２２１の位置調整等の必要があるために、大変面倒であった。
【０００８】
また、後者のスロット剥線方法は、効果的な方法とはいえ、やはりカッタを使用しているので、長時間稼働させると刃が傷み、切れなくなると共に切れなくなると交換する必要があって大変面倒であるという問題点があった。
【０００９】
この発明は上述の課題を解決するためになされたものである。
【課題を解決するための手段】
【００１０】
この発明のスロット剥線装置は、支持線が中心部に挿入されたスロットを圧延する一対のローラで構成される３組の圧延ローラ装置を直列に配設し、前記スロットをスロット走行方向において徐々に細径に潰すべく前記各圧延ローラ装置の一対のローラ間の距離をスロット走行方向で段階的に狭く構成してなり、
前記３組の圧延ローラ装置の各一対のローラがそれぞれ独立して回転駆動され、
前記各圧延ローラ装置が、本体フレームのベース部上に立設された前後の支持フレームと、この支持フレームに固定して設けられた各下軸受け部に回転軸を介して回転自在に設けられた下ローラと、前記支持フレームにガイド部を介して上下方向にスライド自在に設けた各上軸受け部に回転軸を介して設けられ、かつ下ローラに接離自在に設けられた上ローラと、前記各下軸受け部との間に設けられた圧縮スプリングにより常時上方へ付勢された各上軸受け部と、この各上軸受け部の下端に連結された前記支持フレームの上部に設けたナット部材に螺合する各ねじシャフトと、この各ねじシャフトに連結され、かつ、一方のねじシャフトの上部に取り付けられたハンドル部と、前記支持フレームの一部に設けられ、上ローラの上下方向の移動距離を測定すべく上軸受け部の上下方向の移動距離を測定する測長ユニットとで構成されていることを特徴とするものである。
【００１１】
この発明のスロット剥線装置は、前記スロット剥線装置において、供給側と出口側の下ローラの外周面に凹凸部が形成されていることが好ましい。
【発明の効果】
【００１２】
以上のごとき課題を解決するための手段から理解されるように、この発明によれば、支持線が中心部に挿入されたスロットは複数の圧延ローラ部の一対のローラで段階的に徐々に潰すことにより、スロットと鋼線とを容易に且つ確実に分離させることができる。
【００１３】
また、各圧延ローラ部のローラにはカッタ刃が使用されていないので、従来のごとき長時間稼働させると刃が傷むことを解消できる。さらに、各圧延ローラ部の下ローラに対して上ローラが上下方向で接近あるいは離反することにより、上ローラの移動量が測長ユニットによって測定されるので、上ローラと下ローラの間隔を微調整でき、処理対象物であるスロットに対する加圧力を微調整できる。
【発明を実施するための最良の形態】
【００１４】
以下、この発明の実施の形態について図面を参照して説明する。
【００１５】
この実施の形態に係るスロット剥線方法に用いられるスロットは、リサイクルのために、使用済みの光ファイバケーブルから取られたものである。
【００１６】
光ファイバケーブル１としては、例えば図７に示されているように、長手方向に延伸されたスロット３の断面で外周に複数のスロット溝５が螺旋状に形成されている。なお、スロット３は例えばＰＥ（ポリエチレン）樹脂で構成されている。また、前記各スロット溝５には例えば４心の光ファイバテープ心線７が挿入されていると共に光ファイバテープ心線７がスロット溝５から離脱しないように、スロット３の外周部には押え巻き９が一体的に設けられている。また、スロット３の中心部には支持線（テンションメンバ）としての鋼線１１が挿入されて使用されている。さらに、スロット３の外周にはケーブルシース１３が覆うように設けられており、このケーブルシース１３はＰＥ（ポリエチレン）又はＰＶＣ（ポリ塩化ビニル）等の樹脂からなる。
【００１７】
使用済みの光ファイバケーブル１は、ケーブルシース１３が周知の被覆剥ぎ装置で剥ぎ取られ、また押え巻き９も剥ぎ取られる。さらに、スロット３の複数の各スロット溝５から４心の光ファイバテープ心線７が除去される。次に、この実施の形態に係るスロット剥線方法によりスロット３と鋼線１１とが分離され、スロット３の樹脂と鋼線１１がそれぞれリサイクル利用可能となる。
【００１８】
図１を参照するに、この実施の形態に係るスロット剥線方法としては、一対の上、下ローラＵ，Ｌで構成される圧延ローラ部としての例えば圧延ローラ装置１５、１７、１９の３組が直列に配置されており、鋼線１１が中心部に挿入されたスロット３は最初の圧延ローラ装置１５の一対の上、下ローラ２１Ｕ，２１Ｌ間に通されて、前記スロット３の直径が例えば１５ｍｍから８ｍｍに圧延される。
【００１９】
次いで、前記スロット３が２番目の圧延ローラ装置１７の一対の上、下ローラ２３Ｕ，２３Ｌ間に通されて、例えば８ｍｍから３ｍｍの直径に圧延される。
さらに、前記スロット３が３番目の圧延ローラ装置１９の一対の上、下ローラ２５Ｕ，２５Ｌ間に通されて、例えば３ｍｍから２ｍｍの直径に圧延されると共に、スロット３の引っ張り速度が鋼線１１の引っ張り速度に対して例えば１．５倍程度にして引っ張られる。
【００２０】
すなわち、スロット３が潰れる際に、ＰＥは縦方向に伸びるので、２番目の上、下ローラ２３Ｕ，２３Ｌと３番目の上、下ローラ２５Ｕ，２５Ｌは１番目の上、下ローラ２１Ｕ，２１Ｌに比べて速く回転する必要がある。その結果、３番目の上、下ローラ２５Ｕ，２５Ｌから排出されるスロット３の分離片ＰＥの線速は鋼線１１の線速より大きくなる。
【００２１】
なお、全体的なスロット３の処理量が１４ｍ／ｍｉｎ以上となるには、例えば、１番目は１４ｍ／ｍｉｎ以上で、２番目は１４ｍ／ｍｉｎ以上で、３番目は２０ｍ／ｍｉｎ以上となることである。
【００２２】
また、最初の一対の上、下ローラ２１Ｕ，２１Ｌの直径は例えば１５０ｍｍで、２番目の一対の上、下ローラ２３Ｕ，２３Ｌの直径は例えば４００ｍｍで、３番目の一対の上、下ローラ２５Ｕ，２５Ｌの直径は例えば２００ｍｍであることが好ましく、また、最初の一対の上、下ローラ２１Ｕ，２１Ｌを通過する時の線速は例えば２０ｍ／ｍｉｎで、２番目の一対の上、下ローラ２３Ｕ，２３Ｌを通過する時の線速は例えば２５ｍ／ｍｉｎで、３番目の一対の上、下ローラ２５Ｕ，２５Ｌを通過する時の線速は例えば４０ｍ／ｍｉｎであることが望ましい。
【００２３】
また、この実施の形態のスロット剥線方法には、最初の一対の上、下ローラ２１Ｕ，２１Ｌ間の距離をｄ１とし、２番目の一対の上、下ローラ２３Ｕ，２３Ｌ間の距離をｄ２とし、３番目の一対の上、下ローラ２５Ｕ，２５Ｌ間の距離をｄ３としたとき、ｄ１＞ｄ２＞ｄ３≒鋼線径の関係がある。
【００２４】
上記のように、スロット剥線方法として、複数の各一対の上、下ローラでスロット３を段階的に徐々に圧延する理由は、もし圧延回数が１回の場合では、スロット３を上、下ローラに送り込めないことや潰しきれない等の問題があるからである。この実施の形態では圧延回数を３回にしたので、スロット３を徐々に潰して最終的に鋼線１１の直径にまで潰すことが可能となった。
【００２５】
そこで、上記のスロット剥線方法の構造における各上、下ローラによるスロット３の潰し量を計算すると、処理可能な条件が得られた。
【００２６】
図２を参照するに、上記のスロット３の潰し量の計算式について、最初の圧延ローラ装置１５の一対の上、下ローラ２１Ｕ，２１Ｌを例にとって説明する。なお、２番目の圧延ローラ装置１７、３番目の圧延ローラ装置１９についても同様である。
【００２７】
すなわち、スロット３が一対の上、下ローラ２１Ｕ，２１Ｌで圧延される際に、スロット３の外周と上ローラ２１Ｕ（下ローラ２１Ｌも同様）の外周との接触点Ａにおける接線Ｌがスロット３に対してなす角度θと、一対の上、下ローラ間の距離ｄ（Ｎ１とＮ２間距離）と、スロット３の直径Ｒとの関係について説明する。
【００２８】
ここで、一対の上、下ローラ２１Ｕ，２１Ｌの中心が０、０’で、各上、下ローラ２１Ｕ，２１Ｌの半径をそれぞれｒ、ｒ’とすると、
ＯＤ＝ｒ＋ｄ／２
例えば、上ローラ２１Ｕの外周円に対する接線Ｌとの関係から、∠ＡＯＢ＝θとなり、
よって、ＯＢ＝ｒｃｏｓθとなる。
【００２９】
ここで、スロット３の外径はφＲであるので、
ＢＤ＝Ｒ／２＝ＯＤ−ＯＢ＝（ｒ＋ｄ／２）−ｒｃｏｓθ
ｃｏｓθ＝（２ｒ＋ｄ−Ｒ）／２ｒ
したがって、
θ＝ａｒｃｃｏｓ｛（２ｒ＋ｄ−Ｒ）／２ｒ｝
となる。
【００３０】
上記の計算式から得られたスロット３の潰し量の処理可能な条件としては、スロット３の直径が最大で３０ｍｍであっても、圧延ローラ装置１５、１７、１９の各一対の上、下ローラ間の距離がそれぞれｄ１＝２５ｍｍ、ｄ２＝１５ｍｍ、ｄ３＝２．８ｍｍの条件で潰すことが可能である。なお、設計上ではスロット３の直径が最大で３５ｍｍまで処理可能であると考えられる。
【００３１】
図３を参照するに、この実施の形態に係るスロット剥線装置２７としては、本体フレーム２９に、鋼線１１が中心部に挿入されたスロット３を所定の位置を通るようにガイドするガイド体３１が図３において右側に設けられ、このガイド体３１から送られるスロット３を段階的に徐々に圧延するために、この実施の形態では上下に一対の上、下ローラで構成される圧延ローラ装置１５、１７、１９の３組が、スロット走行方向に向けて図３において右側から左側へ順に直列に配置されている。３番目の圧延ローラ装置１９の一対の上、下ローラ２５Ｕ，２５Ｌで最終的に分離されたスロット３の分離片を排出するための分離片排出ダクト３３が図３において左側に設けられている。
【００３２】
図４（Ａ），（Ｂ）を併せて参照するに、１番目の圧延ローラ装置１５は、図４（Ａ）において左右の支持フレーム３５が本体フレーム２９のベース部３７の上に立設されており、下部の下ローラ２１Ｌが前記左右の支持フレーム３５に固定して設けた軸受部３９Ｌに回転軸４１Ｌを介して回転自在に設けられており、上部の上ローラ２１Ｕが前記左右の支持フレーム３５にガイド部を介して上下方向にスライド自在に設けた軸受部３９Ｕに回転軸４１Ｕを介して回転自在に設けられている。したがって、上ローラ２１Ｕが下ローラ２１Ｌに対して上下方向で接離自在に構成されている。なお、下ローラ２１Ｌの外周面にはスロット３の送り出しを兼ねるために細かい凹凸部４３が設けられている。
【００３３】
また、上記の軸受部３９Ｕは、軸受部３９Ｌとの間に設けた圧縮スプリング４５により常時上方に付勢されている。さらに、上記の軸受部３９Ｕは、左右の支持フレーム３５の上部に設けたナット部材４７に螺合するねじシャフト４９の下端に回転可能に連結されており、図４（Ａ）において左右のねじシャフト４９は各上部に設けたスプロケット５１にチェーン５３を掛け回して同期して回転する構成である。また、一方のねじシャフト４９〔図４（Ａ）において左側の〕は上方に延伸されており、その上端にはハンドル部５５が設けられている。
【００３４】
さらに、支持フレーム３５の一部には、上ローラ２１Ｕの上下方向の移動距離を測定するために、直接的には前記軸受部３９Ｕの上下方向の移動距離を測定する測長ユニット５７が設けられている。
【００３５】
また、回転軸４１Ｌの一方端〔図４（Ａ）において右端〕にはスプロケット５９Ａが設けられており、図４（Ｂ）に示されているように前記スプロケット５９Ａと、本体フレーム２９の下部のモータ６１の回転軸６３に設けたスプロケット５９Ｂと、テンションスプロケット５９Ｃにチェーン６５が掛け回されている。
【００３６】
上記構成により、ハンドル部５５を回転することにより、左右のねじシャフト４９がスプロケット５１、チェーン５３で同期して同方向に回転し、軸受部３９Ｕが圧縮スプリング４５の付勢力によってあるいは前記付勢力に抗してガイド部に沿って上下動するので、上ローラ２１Ｕが下ローラ２１Ｌに対して上下方向で接近あるいは離反することになり、上ローラ２１Ｕの移動量が測長ユニット５７によって測定されるので、上ローラ２１Ｕと下ローラ２１Ｌの間隔ｄ１を微調整でき、処理対象物であるスロット３に対する加圧力を微調整できる。
【００３７】
したがって、上記のようにスロット３に対する加圧力が調整された状態で、下部の下ローラ２１Ｌがモータ６１の回転軸６３の回転によりチェーン６５を介して回転される回転軸４１Ｌで回転駆動されるので、スロット３が所定量に圧延されて前方へ送り出されることとなる。
【００３８】
図５（Ａ），（Ｂ）を併せて参照するに、２番目の圧延ローラ装置１７は、図５（Ａ）において左右の支持フレーム６７が本体フレーム２９のベース部３７の上に立設されており、下部の下ローラ２３Ｌが前記左右の支持フレーム６７に固定して設けた軸受部６９Ｌに回転軸７１Ｌを介して回転自在に設けられており、上部の上ローラ２３Ｕが前記左右の支持フレーム６７にガイド部を介して上下方向にスライド自在に設けた軸受部６９Ｕに回転軸７１Ｕを介して回転自在に設けられている。したがって、上ローラ２３Ｕが下ローラ２３Ｌに対して上下方向で接離自在に構成されている。
【００３９】
また、上記の軸受部６９Ｕは、軸受部６９Ｌとの間に設けた圧縮スプリング７３により常時上方に付勢されている。さらに、上記の軸受部６９Ｕは、左右の支持フレーム６７の上部に設けたナット部材７５に螺合するねじシャフト７７の下端に回転可能に連結されており、図５（Ａ）において左右のねじシャフト７７は各上部に設けたスプロケット７９にチェーン８１を掛け回して同期して回転する構成である。また、一方のねじシャフト７７〔図５（Ａ）において右側の〕は上方に延伸されており、その上端にはハンドル部８３が設けられている。
【００４０】
さらに、支持フレーム６７の一部には、上ローラ２３Ｕの上下方向の移動距離を測定するために、直接的には前記軸受部６９Ｕの上下方向の移動距離を測定する測長ユニット８５が設けられている。
【００４１】
また、回転軸７１Ｕの一方端〔図５（Ａ）において左端〕にはスプロケット８７Ａが設けられており、回転軸７１Ｌの一方端〔図５（Ａ）において左端〕にはスプロケット８７Ｂが設けられており、図５（Ｂ）に示されているように前記スプロケット８７Ａと、前記スプロケット８７Ｂと、本体フレーム２９の下部のモータ８９の回転軸９１に設けたスプロケット８７Ｃと、テンションスプロケット８７Ｄにチェーン９３が掛け回されている。
【００４２】
上記構成により、ハンドル部８３を回転することにより、左右のねじシャフト７７がスプロケット７９、チェーン８１で同期して同方向に回転し、軸受部６９Ｕが圧縮スプリング７３の付勢力によってあるいは前記付勢力に抗してガイド部に沿って上下動するので、上ローラ２３Ｕが下ローラ２３Ｌに対して上下方向で接近あるいは離反することになり、上ローラ２３Ｕの移動量が測長ユニット８５によって測定されるので、上ローラ２３Ｕと下ローラ２３Ｌの間隔ｄ２を微調整でき、処理対象物であるスロット３に対する加圧力を微調整できる。
【００４３】
したがって、上記のようにスロット３に対する加圧力が調整された状態で、上部の上ローラ２３Ｕと下部の下ローラ２３Ｌがモータ８９の回転軸９１の回転によりチェーン９３を介して回転される回転軸７１Ｕ，７１Ｌで回転駆動されるので、スロット３が所定量に圧延されて前方へ送り出されることとなる。
【００４４】
図６（Ａ），（Ｂ）を併せて参照するに、３番目の圧延ローラ装置１９は、図６（Ａ）において左右の支持フレーム９５が本体フレーム２９のベース部３７の上に立設されており、下部の下ローラ２５Ｌが前記左右の支持フレーム９５に固定して設けた軸受部９７Ｌに回転軸９９Ｌを介して回転自在に設けられており、上部の上ローラ２５Ｕが前記左右の支持フレーム９５にガイド部を介して上下方向にスライド自在に設けた軸受部９７Ｕに回転軸９９Ｕを介して回転自在に設けられている。したがって、上ローラ２５Ｕが下ローラ２５Ｌに対して上下方向で接離自在に構成されている。なお、下ローラ２５Ｌの外周面には鋼線１１の送り出しを兼ねるために細かい凹凸部１０１が設けられている。
【００４５】
また、上記の軸受部９７Ｕは、軸受部９７Ｌとの間に設けた圧縮スプリング１０３により常時上方に付勢されている。さらに、上記の軸受部９７Ｕは、左右の支持フレーム９５の上部に設けたナット部材１０５に螺合するねじシャフト１０７の下端に回転可能に連結されており、図６（Ａ）において左右のねじシャフト１０７は各上部に設けたスプロケット１０９にチェーン１１１を掛け回して同期して回転する構成である。また、一方のねじシャフト１０７〔図６（Ａ）において右側の〕は上方に延伸されており、その上端にはハンドル部１１３が設けられている。
【００４６】
さらに、支持フレーム９５の一部には、上ローラ２５Ｕの上下方向の移動距離を測定するために、直接的には前記軸受部９７Ｕの上下方向の移動距離を測定する測長ユニット１１５が設けられている。
【００４７】
また、回転軸９９Ｌの一方端〔図６（Ａ）において左端〕にはスプロケット１１７Ａが設けられており、図６（Ｂ）に示されているように前記スプロケット１１７Ａと、本体フレーム２９の下部のモータ１１９の回転軸１２１に設けたスプロケット１１７Ｂと、テンションスプロケット１１７Ｃにチェーン１２３が掛け回されている。
【００４８】
さらに、回転軸９９Ｌの他方端〔図６（Ａ）において右端〕にはスパーギア１２５Ｌが設けられており、回転軸９９Ｕの他方端〔図６（Ａ）において右端〕には前記スパーギア１２５Ｌに噛合するスパーギア１２５Ｕが設けられている。
【００４９】
上記構成により、ハンドル部１１３を回転することにより、左右のねじシャフト１０７がスプロケット１０９、チェーン１１１で同期して同方向に回転し、軸受部９７Ｕが圧縮スプリング１０３の付勢力によってあるいは前記付勢力に抗してガイド部に沿って上下動するので、上ローラ２５Ｕが下ローラ２５Ｌに対して上下方向で接近あるいは離反することになり、上ローラ２５Ｕの移動量が測長ユニット１１５によって測定されるので、上ローラ２５Ｕと下ローラ２５Ｌの間隔ｄ３を微調整でき、処理対象物であるスロット３に対する加圧力を微調整できる。
【００５０】
したがって、上記のようにスロット３に対する加圧力が調整された状態で、下部の下ローラ２５Ｌがモータ１１９の回転軸１２１の回転によりチェーン１２３を介して回転される回転軸９９Ｌで回転駆動され、且つ上部の上ローラ２５Ｕもスパーギア１２５Ｌに噛合するスパーギア１２５Ｕで同期して回転駆動されるので、スロット３が圧延されて鋼線１１から分離され、前記鋼線１１が前方へ送り出されることとなる。
【００５１】
以上のように、スロット剥線装置２７は、３組の圧延ローラ装置１５、１７、１９がそれぞれ独立して一対の上、下ローラ間の距離ｄ１，ｄ２，ｄ３が所望の大きさに自在に調整できるので、スロット３を段階的に徐々に潰し、最終的に鋼線１１の直径まで潰すことが可能となる。しかも、３番目の圧延ローラ装置１９では一対の上、下ローラ２５Ｕ，２５Ｌがスパーギア１２５Ｕ，１２５Ｌにより同期して回転駆動されるので、安定して回転速度を上げることができ、確実に且つ容易にスロット３の分離片を鋼線１１から分離できる。また、圧延ローラ装置１５、１７、１９の各上、下ローラにはカッタ刃が使用されていないので、従来のごとき長時間稼働させると刃が傷むという問題点を解消することができる。
【図面の簡単な説明】
【００５２】
【図１】この発明の実施の形態のスロット剥線方法を示す概略的な説明図である。
【図２】スロットの圧延状態を示す幾何学的な説明図である。
【図３】この発明の実施の形態のスロット剥線装置の全体的な正面図である。
【図４】（Ａ）は図３の矢視ＩＶ−ＩＶ線の概略的な断面図で、（Ｂ）は（Ａ）のローラの回転駆動伝達手段の概略図である。
【図５】（Ａ）は図３の矢視Ｖ−Ｖ線の概略的な断面図で、（Ｂ）は（Ａ）のローラの回転駆動伝達手段の概略図である。
【図６】（Ａ）は図３の矢視ＶＩ−ＶＩ線の概略的な断面図で、（Ｂ）は（Ａ）のローラの回転駆動伝達手段の概略図である。
【図７】この実施の形態においてスロットが使用された光ファイバケーブルの断面図である。
【図８】従来においてスロットが使用された光ファイバケーブルの断面図である。
【図９】従来のスロット剥線方法を示す概略的な説明図である。
【符号の説明】
【００５３】
１  光ファイバケーブル
３  スロット
５  スロット溝
１１  鋼線（支持線；テンションメンバ）
１５  圧延ローラ装置（圧延ローラ部）
１７  圧延ローラ装置（圧延ローラ部）
１９  圧延ローラ装置（圧延ローラ部）
２１Ｕ，２１Ｌ  上、下ローラ
２３Ｕ，２３Ｌ  上、下ローラ
２５Ｕ，２５Ｌ  上、下ローラ
２７  スロット剥線装置
２９  本体フレーム
３５  支持フレーム（圧延ローラ装置１５の）
３９Ｕ，３９Ｌ  軸受部
４１Ｕ，４１Ｌ  回転軸
４３  凹凸部
４５  圧縮スプリング
４７  ナット部材
４９  ねじシャフト
５５  ハンドル部
５７  測長ユニット
６７  支持フレーム（圧延ローラ装置１７の）
６９Ｕ，６９Ｌ  軸受部
７１Ｕ，７１Ｌ  回転軸
７３  圧縮スプリング
７５  ナット部材
７７  ねじシャフト
８３  ハンドル部
８５  測長ユニット
９５  支持フレーム（圧延ローラ装置１９の）
９７Ｕ，９７Ｌ  軸受部
９９Ｕ，９９Ｌ  回転軸
１０１  凹凸部
１０３  圧縮スプリング
１０５  ナット部材
１０７  ねじシャフト
１１３  ハンドル部
１１５  測長ユニット
１２５  スパーギア
【図１】
0004562436.tif 000002
【図２】
0004562436.tif 000003
【図３】
0004562436.tif 000004
【図４】
0004562436.tif 000005
【図５】
0004562436.tif 000006
【図６】
0004562436.tif 000007
【図７】
0004562436.tif 000008
【図８】
0004562436.tif 000009
【図９】
0004562436.tif 000010